(57)【要約】【課題】親機及び子機のいずれにおいても単独で基地局との無線通信が可能となるようにすることにある。【解決手段】基地局との無線通信が可能に構成された携帯電話機であり、互いに結合及び分離が可能に構成された親機１と子機２とからなる通信端末を備え、親機１及び子機２は、基地局との無線通信が可能な外部通信機能を有していると共に、互いに無線通信が可能な親子内通信機能を有する構成としている。また、親機１と子機２とが結合した状態において、親バッテリ（親電源）１２ｋと子バッテリ（子電源）２２ｋとを並列に電気接続するように構成している。【選択図】  図３
2008178007.tif 000002
【特許請求の範囲】
【請求項１】
基地局との無線通信が可能に構成された携帯電話機であって、
互いに結合及び分離が可能に構成された親機と子機とからなる通信端末を備えてなり、
前記親機及び前記子機は、前記基地局との無線通信が可能な外部通信機能を有していると共に、互いに無線通信が可能な親子内通信機能を有していることを特徴とする携帯電話機。
【請求項２】
前記親機は当該親機の駆動を可能にする親電源を有し、前記子機は当該子機の駆動を可能にする子電源を備えており、
前記親電源及び前記子電源は、前記親機と前記子機とが結合された状態において、並列に電気接続されるように構成されていることを特徴とする請求項１に記載の携帯電話機。
【請求項３】
前記親機及び前記子機は、それぞれ複数のメールアドレスが登録可能な親メモリ及び子メモリを備えており、前記結合した状態で前記メールアドレスを登録する際に、前記親メモリ及び前記子メモリのうち少なくとも一方のメモリを選択可能に構成されていることを特徴とする請求項１又は２に記載の携帯電話機。
【請求項４】
前記親機及び前記子機のうち一方の通信端末には複数の入力ボタンが設けられ、他方の通信端末にはメイン表示部が設けられており、
前記他方の通信端末は、一方の通信端末と分離されたことを検知することにより、前記メイン表示部に複数の入力ボタン画像が表示されるように構成されていると共に、当該メイン表示部における各入力ボタン画像に対応する部分に触れることにより当該各入力ボタン画像に対応するデータの入力を可能とするタッチパネルを備えていることを特徴とする請求項１〜３の何れかに記載の携帯電話機。
【発明の詳細な説明】
【技術分野】
【０００１】
本発明は、結合及び分離が可能な親機と子機とからなる通信端末を備えた携帯電話機に関する。
【背景技術】
【０００２】
この種の携帯電話機としては、親機と子機のように、各部位を分離可能に構成し、親機と子機との間で、映像や着信データなどの情報を無線通信により転送可能に構成したものが知られている（例えば、特許文献１〜３参照）。また、固定電話機を親機とし、この親機と無線通信が可能な子機を備えたものも知られている（例えば、特許文献４参照）。
【特許文献１】特開２００１−１５７２６０号公報
【特許文献２】特開２００１−２３０９５４号公報
【特許文献３】特開２００３−２０９６０３号公報
【特許文献４】特開２００２−３６８８５２号公報
【発明の開示】
【発明が解決しようとする課題】
【０００３】
ところが、上記従来の携帯電話機においては、親機については基地局との無線通信が可能に構成されているものの、子機については基地局と無線通信が可能に構成されたものがない。このため、子機単独では基地局との無線通信ができず、不便であるという問題があった。
【０００４】
本発明は、上記事情に鑑みてなされたものであり、親機及び子機のいずれにおいても単独で基地局との無線通信が可能な携帯電話機を提供することを目的としている。
【課題を解決するための手段】
【０００５】
上記目的を達成するために、請求項１に記載の発明は、基地局との無線通信が可能に構成された携帯電話機であって、互いに結合及び分離が可能に構成された親機と子機とからなる通信端末を備えてなり、前記親機及び前記子機は、前記基地局との無線通信が可能な外部通信機能を有していると共に、互いに無線通信が可能な親子内通信機能を有していることを特徴としている。
【０００６】
この請求項１に記載の発明の場合、親機及び子機のうち一方の外部通信機能のみが有効となるように切り換える通信切換機能を設けることが好ましい。そして、この通信切換機能としては、親機及び子機の双方に設けたスイッチを手動で切り換えることにより一方の外部通信機能を有効とし、他方の外部通信機能を無効とするように構成したものでもよく、また、所定の時間が経過するごとに、各外部通信機能を交互に有効となるように自動的に切り換えるように構成したものであってもよい。このような通信切換機能を設けることにより、基地局から発せられる制御信号により、親機及び子機の一方の通信端末のみの位置を特定することができるので、同一の電話番号の通信端末が複数存在することとなる不具合を防止することができる。
【０００７】
また、請求項１に記載の発明の場合、親機及び子機が親子内通信機能を用いて無線通信可能な範囲内に存在しているときには、外部通信機能が無効となっている一方の通信端末は、外部通信機能が有効となっている他方の通信端末を介して、基地局との無線通信が可能となるように構成することが好ましい。このように構成することにより、外部通信機能が無効となっている一方の通信端末によっても、他方の通信端末を介して基地局との無線通信が可能となる利点がある。
【０００８】
請求項２に記載の発明は、請求項１に記載の発明において、前記親機は当該親機の駆動を可能にする親電源を有し、前記子機は当該子機の駆動を可能にする子電源を備えており、前記親電源及び前記子電源は、前記親機と前記子機とが結合された状態において、並列に電気接続されるように構成されていることを特徴としている。
【０００９】
請求項３に記載の発明は、請求項１又は２に記載の発明において、前記親機及び前記子機は、それぞれ複数のメールアドレスが登録可能な親メモリ及び子メモリを備えており、前記結合した状態で前記メールアドレスを登録する際に、前記親メモリ及び前記子メモリのうち少なくとも一方のメモリを選択可能に構成されていることを特徴としている。
【００１０】
請求項４に記載の発明は、請求項１〜３の何れかに記載の発明において、前記親機及び前記子機のうち一方の通信端末には複数の入力ボタンが設けられ、他方の通信端末にはメイン表示部が設けられており、前記他方の通信端末は、一方の通信端末と分離されたことを検知することにより、前記メイン表示部に複数の入力ボタン画像が表示されるように構成されていると共に、当該メイン表示部における各入力ボタン画像に対応する部分に触れることにより当該各入力ボタン画像に対応するデータの入力を可能とするタッチパネルを備えていることを特徴としている。
【発明の効果】
【００１１】
請求項１〜４に記載の発明によれば、親機及び子機のぞれぞれが基地局と無線通信が可能な外部通信機能を備えているので、親機及び子機のいずれにおいても単独で基地局と無線通信ができる。この場合、親機及び子機の外部通信機能を同時に用いて基地局と無線通信をすることは不可能であるので、基地局等を介して親機と子機との間で直接通話することはできない。但し、例えばある所定の時間間隔をおいて、親機及び子機のうち一方の外部通信機能のみを択一的に有効となるように切り換えることにより、例えば親機からインターネット上の所定のメールアドレスに電子メールを送信し、その後、同一のメールアドレスにある電子メールの内容を子機によって見ることが可能になる。このようにすれば、親機と子機が親子内通信機能による無線通信が可能な範囲以上に離れている場合でも、当該親機と子機との間で連絡を取り合うことができる。
【００１２】
請求項２に記載の発明によれば、親機と子機とが結合された状態において、親電源及び子電源が並列に電気接続されるように構成されているので、その結合された状態においても、また分離された状態においても、ほぼ同一の電圧で親機及び子機を安定的に駆動することができる。また、親電源及び子電源のうち一方の電源の充電量が低下した場合には、親機と子機とを結合することにより、当該一方の電源を他方の電源で充電することができるという利点がある。
【００１３】
請求項３に記載の発明によれば、親機及び子機を結合した状態において、メールアドレスの登録の際に、親メモリ及び子メモリのうち少なくとも一方を選択可能に構成しているので、親メモリ及び子メモリの一方又は双方にメールアドレスを登録することができる。従って、例えば親機については所有者本人のみが使用し、子機については他人も使用することがある場合には、重要度の高いメールアドレスについては親メモリのみに登録し、重要度の低いメールアドレスについては親メモリ及び子メモリの双方に登録することができる。
【００１４】
請求項４に記載の発明によれば、親機及び子機のうち一方の通信端末には複数の入力ボタンが設けられているので、当該一方の通信端末を単独で使用する場合には当該入力ボタンを用いることにより、例えば基地局と無線通信を開始することができると共に、他方の通信端末とも無線通信を開始することができる。また、他方の通信端末にはメイン表示部が設けられていると共に、当該メイン表示部における各入力ボタン画像の部分に触れることにより当該入力ボタン画像に対応するデータの入力を可能とするタッチパネルが設けられているので、当該他方の通信端末を単独で使用する場合にはメイン表示部における入力ボタン画像に対応する部分に触れることにより、基地局との無線通信を行うことができると共に、一方の通信端末との無線通信も行うことができる。
【発明を実施するための最良の形態】
【００１５】
以下、本発明を実施するための最良の形態としての一実施の形態について図面を参照しながら説明する。
【００１６】
この実施の形態で示す携帯電話機は、図１〜図３に示すように、互いに結合及び分離が可能に構成された通信端末としての親機１と、子機２とを備えている。親機１及び子機２は、図１及び図３に示すように、ほぼ四角形状に形成された正面部１１ａ、２１ａを有する親筐体１１及び子筐体２１を備えた構成になっている。
【００１７】
親筐体１１の正面部１１ａには、その上端部側から、ヒンジ部１１ｂ、受話口１１ｃ、サブ表示部１１ｄ、各種の機能を有する複数の入力ボタン１１ｅ及び送話口１１ｆが設けられている。
【００１８】
ヒンジ部１１ｂは、親筐体１１の上端部に固定された支持部１１ｇと、この支持部１１ｇに揺動自在に連結された揺動部１１ｈと、支持部１１ｇと揺動部１１ｈ内に挿入され、親機１と子機２とを電気的に接続するフレキシブル基板（図示せず）とを備えている。
【００１９】
受話口１１ｃ及び送話口１１ｆは、正面部１１ａに開口すべく設けられたものであり、受話口１１ｃについては正面部１１ａの裏側に配置された後述する親スピーカ１２ｃに対応する位置に形成されており、送話口１１ｆについては正面部１１ａの裏側に配置された後述する親マイク１２ｄに対応する位置に形成されている。なお、受話口１１ｃは、親機１と子機２とを分離することによって親機１を単独で使用する場合にのみ受話口として機能することになるが、親機１と子機２とが結合された状態においては、子機２における後述する受話口２１ｂのみが受話口として機能することになる。
【００２０】
サブ表示部１１ｄは、図３に示すように、液晶パネルによって構成されており、親機１と子機２とを分離した際に、当該親機１が単独で携帯電話機としての機能を発揮することが可能になる最小限の表示領域を有するものとなっている。この例では、後述する親バッテリ（親電源）１２ｋの充電レベルマークａや、受信電界マークｂや、年月日時ｃや、子機２との遠近の程度を示す距離マークｄ等を表示するようになっていると共に、電話番号やメールアドレス等の通信に要する最小限の数字や文字等のデータ（図示せず）を表示することが可能になっている。また、サブ表示部１１ｄは、図１に示すように、親機１と子機２とが結合された状態において、新着情報等を表示するようにもなっている。但し、この場合には、充電レベルマークａ、受信電界マークｂ、年月日時ｃ、距離マークｄ、電話番号やメールアドレス等のデータなどは子機２における後述するメイン表示部２１ｃに表示されることになり、サブ表示部１１ｄに表示されることがない。
【００２１】
また、親筐体１１には、図３に示すように、その上端部の背部から上方に突出するように親アンテナ１１ｉが設けられている。親アンテナ１１ｉは、基地局からの電波を受信すると共に、基地局に対して電波を送信するようになっている。
【００２２】
一方、子筐体２１の正面部２１ａには、図１及び図３に示すように、その上端部側から、受話口２１ｂ、メイン表示部２１ｃ、送話口２１ｄ及び連結凹部２１ｅが設けられている。
【００２３】
受話口２１ｂ及び送話部２１ｄは、正面部２１ａに開口すべく設けられたものであり、受話口２１ｂについては正面部２１ａの裏側に配置された後述する子スピーカ２２ｃに対応する位置に形成されており、送話口２１ｄについては正面部２１ａの裏側に配置された後述する子マイク２２ｄに対応する位置に形成されている。なお、送話口２１ｄは、図３のように、親機１と子機２とを分離することによって、子機２を単独で使用する場合にのみ送話口として機能することになるが、図１のように、親機１と子機２とが結合された状態においては、親機１における送話口１１ｆのみが受話口として機能することになる。
【００２４】
メイン表示部２１ｃは、液晶パネルによって構成されている。このメイン表示部２１ｃは、図３に示すように、子機２を親機１から分離した際に、その分離されたことを検知することにより、複数の入力ボタン画像２１ｆを表示するように構成されていると共に、当該メイン表示部２１ｃにおける各入力ボタン画像２１ｆに対応する部分に触れることにより当該各入力ボタン画像２１ｆに対応するデータの入力を可能とする図示しないタッチパネル２１ｊ（符号について図４参照）を有している。更に、メイン表示部２１ｃには、子機２が単独で携帯電話機としての機能を発揮できるようにするため、入力ボタン画像２１ｆが表示された部分の上側に、後述する子バッテリ（子電源）２２ｋの充電レベルマークｇや、受信電界マークｈや、年月日時ｉや、親機１との遠近の程度を示す距離マークｊ等を表示すると共に、電話番号やメールアドレス等の通信に要する数字や文字等のデータ（図示せず）を表示することが可能な表示領域を有している。
【００２５】
連結凹部２１ｅは、揺動部１１ｈと連結することによって、当該揺動部１１ｈに形成された図示しない親コネクタ１１ｊ（符号については図４参照）と接続されることになる子コネクタ２１ｇを有している。親コネクタ１１ｊは、揺動部１１ｈに凹状に形成されていると共に、上述したフレキシブル基板の各導線に接続された雌端子（図示せず）を有している。これに対して、子コネクタ２１ｇは、連結凹部２１ｅ内に突出するように設けられていると共に、親コネクタ１１ｊの各雌端子に接続する雄端子２１ｈを有している。そして、親コネクタ１１ｊと子コネクタ２１ｇとが接続されることによって、親機１と子機２とが電気的に接続された状態になるようになっている。
【００２６】
また、子筐体２１には、その上端部の背部から上方に突出するように子アンテナ２１ｉが設けられている。子アンテナ２１ｉは、基地局からの電波を受信すると共に、基地局に対して電波を送信するようになっている。
【００２７】
そして、子機２は、親機１に対してヒンジ部１１ｂを介して揺動することにより、親機１の正面部１１ａを閉じる蓋として機能すると共に、親機１の正面部１１ａを開くように回動した後のメイン表示部２１ｃが親機１の表示部として機能するようになっている。また、子機２は、図２に示すように、子筐体２１における左右の各側面に設けられた着脱ボタン１２ｓ、１２ｓを両側から同時に押しながら子筐体２１を揺動部１１ｈから引き離すように移動することにより、親機１から分離することが可能になっている。ただし、結合する際には、連結凹部２１ｅを揺動部１１ｈに合わせた後、子筐体２１を揺動部１１ｈ側に移動することにより、自動的に結合した状態になるようになっている。
【００２８】
図４は、親機１及び子機２の内部構成を示すブロック図である。この図において、親機１の親アンテナ１１ｉは、親送受信部１２ａに接続されている。
【００２９】
親送受信部１２ａは、基地局からの無線信号を親アンテナ１１ｉで受信して得た高周波信号を、増幅、周波数変換等をすることによってベースバンド信号とするようになっている。このベースバンド信号は、親音声処理部１２ｂにおいて音声信号に復調されてから、親スピーカ１２ｃに出力される。これにより、通話相手の音声等の音を親スピーカ１２ｃを介して聞くことができる。一方、親マイク１２ｄでとらえた音声等の音は、音声信号として親音声処理部１２ｂに入力され、当該親音声処理部１２ｂによって変調された後、ベースバンド信号となって、親送受信部１２ａに出力され、当該親送受信部１２ａで高周波信号となって親アンテナ１１ｉから基地局に無線信号として送信されることになる。即ち、親機１は、基地局との無線通信が可能な外部通信機能を備えた構成になっている。
【００３０】
親送受信部１２ａ及び親音声処理部１２ｂは、親制御部１２ｅによって、制御されるようになっている。また、親制御部１２ｅは、入力ボタン１１ｅから入力されるデータに基づいて種々の制御を行うと共に、サブ表示部１１ｄへの出力等を制御し、またＲＯＭ１２ｆからプログラム等のデータを読み込んだり、ＲＡＭ１２ｇに対してデータのやり取りを行ったりするなどの携帯電話機としての親機１の全体を制御するようになっている。また、ＲＡＭ１２ｇには、複数のメールアドレスを登録することが可能な親メモリとしての記憶領域が確保されるようになっている。これにより、親機１は、子機２を分離した状態において、単独でメールアドレスを親メモリに登録することが可能になっている。
【００３１】
更に、親制御部１２ｅは、親トランシーバ部１２ｈを制御するようになっている。親トランシーバ部１２ｈは、親ローカルアンテナ１２ｉから出力されるアナログ信号をデジタル信号化して親制御部１２ｅに出力し、親制御部１２ｅから出力されるデジタル信号をアナログ信号化して親ローカルアンテナ１２ｉに出力するようになっている。この場合、子機２側で発せられた音声等の音は、無線信号として送信されて親ローカルアンテナ１２ｉに受信され、親トランシーバ部１２ｈ、親制御部１２ｅ及び親音声処理部１２ｂを介して親スピーカ１２ｃから再び音声等の音として出力されるようになっている。また、親マイク１２ｄでとらえた音声等の音は、親音声処理部１２ｂ、親制御部１２ｅ、親トランシーバ部１２ｈ及び親ローカルアンテナ１２ｉを介して無線信号として子機２に送信されるようになっている。即ち、親機１は、子機２との無線通信が可能な親子内通信機能を備えた構成になっている。なお、親ローカルアンテナ１２ｉは、親筐体１１内に配置されている。
【００３２】
また、親機１には、親筐体１１の表面に露出するように充電端子１１ｍ、１１ｎが設けられている。そして、一方の充電端子１１ｍには、充電回路１２ｊ、親バッテリ１２ｋのプラス電極、電圧制御部１２ｍ及び親電源接続端子１１ｑが順次接続されている。
【００３３】
充電回路１２ｊは、過充電を防止しながら親バッテリ１２ｋを充電するようになっている。親バッテリ１２ｋは、充電が可能な２次電池によって構成されている。電圧制御部１２ｍは、充電回路１２ｊや親バッテリ１２ｋから供給される電圧を当該電圧より若干低い例えば５Ｖの安定した電圧となるように制御するようになっている。この安定化された電圧は、親制御部１２ｅ等に供給されるようになっている。
【００３４】
親電源接続端子１１ｑ及びこれと対をなす親電源接続端子１１ｒは、親コネクタ１１ｊ内における雌端子の一部を構成している。また、充電端子１１ｎ、親電源接続端子１１ｒ及び親バッテリ１２ｋのマイナス極は、ケース接地されている。
【００３５】
一方、子機２の子アンテナ２１ｉは、子送受信部２２ａに接続されている。子送受信部２２ａは、親送受信部１２ａと同様に構成されている。即ち、子送受信部２２ａから出力されるベースバンド信号は、子音声処理部２２ｂにおいて音声信号に復調されてから、子スピーカ２２ｃに出力される。これにより、通話相手の音声等の音を子スピーカ２２ｃを介して聞くことができる。一方、子マイク２２ｄでとらえた音声等の音は、子音声処理部２２ｂ及び子送受信部２２ａを介して高周波信号に変換され、子アンテナ２１ｉから基地局に無線信号として送信されることになる。即ち、子機２も、基地局との無線通信が可能な外部通信機能を備えた構成になっている。
【００３６】
子送受信部２２ａ及び子音声処理部２２ｂは、子制御部２２ｅによって、制御されるようになっている。また、この子制御部２２ｅは、メイン表示部２１ｃにおける各入力ボタン画像２１ｆ（図２参照）に対応する各位置のタッチパネル２１ｊに触れることによって入力されたデータを処理すると共に、メイン表示部２１ｃを制御し、またＲＯＭ２２ｆからプログラム等のデータを読み込んだり、ＲＡＭ２２ｇに対してデータのやり取りを行ったりするなどの子機２の全体を制御するようになっている。また、ＲＡＭ２２ｇには、複数のメールアドレスを登録することが可能な子メモリとしての記憶領域が確保されるようになっている。これにより、子機２は、親機１と分離された状態において、単独でメールアドレスを子メモリに記録することが可能になっている。
【００３７】
更に、子制御装置２２ｅは、子トランシーバ部２２ｈを制御するようになっている。子トランシーバ部２２ｈは、子ローカルアンテナ２２ｉから出力されるアナログ信号をデジタル信号化して子制御部２２ｅに出力し、子制御部２２ｅから出力されるデジタル信号をアナログ信号化して子ローカルアンテナ２２ｉに出力するようになっている。この場合、親機１側で発せられた音声等の音は、無線信号として送信されて子ローカルアンテナ２２ｉに受信され、子トランシーバ部２２ｈ、子制御部２２ｅ及び子音声処理部２２ｂを介して子スピーカ２２ｃから再び音声等の音として出力されるようになっている。また、子マイク２２ｄでとらえた音声等の音は、子音声処理部２２ｂ、子制御部２２ｅ、子トランシーバ部２２ｈ及び子ローカルアンテナ２２ｉを介して無線信号として親機１に送信されるようになっている。即ち、子機２は、親機１との無線通信が可能な親子内通信機能を備えた構成になっている。なお、子ローカルアンテナ２２ｉは、子筐体２１内に配置されている。
【００３８】
また、子機２には、子電源接続端子２１ｑ、２１ｒが設けられている。そして、一方の子電源接続端子２１ｑは、子バッテリ２２ｋのプラス電極に接続されている。子バッテリ２２ｋは、充電が可能な２次電池によって構成されている。この子バッテリ２２ｋから供給される電圧は、子制御部２２ｅ等に供給されるようになっている。
【００３９】
子電源接続端子２１ｑ、２１ｒは、子コネクタ２１ｇにおける雄端子２１ｈ（図３参照）の一部を構成している。子電源接続端子２１ｒ及び子バッテリ２２ｋのマイナス極は、ケース接地されている。そして、親機１と子機２とが結合された状態において、親電源接続端子１１ｑ、１１ｒと、子電源接続端子２１ｑ、２１ｒとがそれぞれ接続状態になり、これにより親バッテリ１２ｋと子バッテリ２２ｋとが並列に電気接続されるようになっている。
【００４０】
一方、親機１及び子機２は、結合された状態において、親コネクタ１１ｊと子コネクタ２１ｇとが接続され、親制御部１２ｅと子制御部２２ｅとが電気的に接続状態になり、これにより、上述した親メモリ及び子メモリの一方又は双方を選択してメールアドレスを登録することが可能になっている。即ち、親機１のＲＯＭ１２ｆには、親機１が子機２と結合された状態において、親メモリ及び子メモリの一方又は双方を選択してメールアドレスを登録する機能を有するアドレス登録プログラムが組み込まれている。
【００４１】
また、親機１と子機２とが分離された状態においては、親ローカルアンテナ１２ｉ又は子ローカルアンテナ２２ｉが受信する電波の強弱に基づいて、親機１と子機２との間の距離を親制御部１２ｅ又は子制御部２２ｅで演算し、当該演算によって得た距離を親機１と子機２との間の遠近の程度で表示するようになっている。即ち、親機１においては、子機２との遠近の程度を距離マークｄとしてサブ表示部１１ｄに表示し、子機２においては、親機１との遠近の程度を距離マークｊとしてメイン表示部２１ｃに表示するようになっている。このため、親機１のＲＯＭ１２ｆには、親ローカルアンテナ１２ｉで受信した電波の強さに基づいて子機２との遠近の程度を推定し、サブ表示部１１ｄに距離マークｄとして表示する遠近推定プログラムが組み込まれている。同様にして、子機２のＲＯＭ２２ｆにも遠近推定プログラムが組み込まれている。距離マークｄ、ｊは、横棒グラフの長短によって遠近を表示するようになっており、この例では長いほど近接した状態にあることを意味している。なお、これとは反対に、短いほど近接した状態にあるというように構成してもよい。
【００４２】
また、親機１及び子機２は上述のように基地局との無線通信が可能な外部通信機能を有するように構成しているが、この外部通信機能が親機１及び子機２において同時に有効になっているとすれば、同一の電話番号の携帯電話機が２台分存在することになるという不具合が生じる。このため、親機１と子機２とが結合された状態になると、親機１の外部通信機能のみが有効となるように切り換える結合時親機選択機能が親機１に設けられている。この結合時親機選択機能は、親機１と子機２とが結合された際に、ＲＯＭ１２ｆに組み込まれた結合時親機選択プログラムが親制御部１２ｅで実行されることにより実現されるようになっている。また、親機１と子機２とが分離された状態になると、一定の時間間隔ごとに親機１及び子機２の各外部通信機能が交互に有効となるように切り換かわる通信切換機能が親機１及び子機２のそれぞれに設けられている。この通信切換機能は、親機１と子機２とが分離された際に、ＲＯＭ１２ｆ、２２ｆのそれぞれに組み込まれた通信切換プログラムが親制御部１２ｅ及び子制御部２２ｅのぞれぞれで実行されることにより実現されるようになっている。この通信切換機能は、親機１と子機２とを分離した時点から、親機１及び子機２のぞれぞれにおいて時間の測定を開始し、一定の時間経過するまでは親機１の外部通信機能を有効にして、子機２の外部通信機能を無効にし、その時間経過後には親機１の外部通信機能を無効にして、子機２の外部通信機能を有効にするということを交互に繰り返し行うものである。
【００４３】
この通信切換機能により、親機１が基地局と無線通信可能となる時間帯と、子機２が基地局と無線通信可能となる時間帯とが重複することがなくなるので、同一の電話番号を用いた親機１及び子機２の何れかを使用して基地局との無線通信が可能になる。この場合、基地局との通信可能な時間帯が親機１のサブ表示部１１ｄ及び子機２のメイン表示部２１ｃに表示されるようになっている。
【００４４】
また、親機１及び子機２が上述した親子内通信機能を用いて無線通信可能な範囲内に存在している場合には、外部通信機能が無効となっている一方の通信端末（例えば、子機２）は、当該外部通信機能が有効となっている他方の通信端末（例えば、親機１）を介して、基地局との無線通信を可能とする他機利用機能が親機１及び子機２に設けられている。この他機利用機能は、ＲＯＭ１２ｆ、ＲＯＭ２２ｆのそれぞれに組み込まれた他機利用プログラムを親制御部１２ｅ及び子制御部２２ｅのぞれぞれで実行することにより実現するようになっている。
【００４５】
上記のように構成された携帯電話機においては、親機１及び子機２のぞれぞれが基地局と無線通信が可能な外部通信機能を備えているので、親機１及び子機２のいずれにおいても単独で基地局と無線通信ができる。この場合、親機１及び子機２の一方のみを択一的に基地局と無線通信可能に構成しているので、同一の電話番号の携帯電話機が複数存在することとなる不具合を防止することができる。
【００４６】
また、親機１及び子機２の一方のみが択一的に基地局と無線通信可能になることから、基地局等を介して親機１と子機２との間で直接通話することはできない。しかし、例えば親機１が基地局と無線通信可能な時間帯にあるときに、当該親機１からインターネット上の所定のメールアドレスに電子メールを送信し、その後、子機２が基地局と無線通信可能なった時に、当該子機２によって同一のメールアドレスにある電子メールの内容を見ることが可能になる。従って、電子メールを活用することにより、親機１と子機２が親子内通信機能による無線通信が可能な範囲以上に離れている場合でも、当該親機１と子機２との間で連絡を取り合うことができる。
【００４７】
更に、親機１と子機２とが結合された状態において、親バッテリ１２ｋ及び子バッテリ２２ｋが並列に電気接続されるように構成されているので、親機１と子機２とが結合された状態においても、分離された状態においても、ほぼ同一の電圧で親機１及び子機２を安定的に駆動することができる。また、親バッテリ１２ｋ及び子バッテリ２２ｋを分離した状態で使用することによって、例えば子バッテリ２２ｋの充電量が低下した場合には、親機１と子機２とを結合することにより、親バッテリ１２ｋで子バッテリ２２ｋを充電することが可能となる。
【００４８】
また、親機１及び子機２を結合した状態において、親メモリ及び子メモリの一方又は双方にメールアドレスを登録することができるので、例えば親機１については所有者本人のみが使用し、子機２については他人に貸すようなことがある場合であっても、重要度の高いメールアドレスについては親メモリのみに登録し、重要度の低いメールアドレスについては親メモリ及び子メモリの双方に登録することができるという利点がある。
【００４９】
更に、親機１には入力ボタン１１ｅが設けられているので、当該親機１を単独で使用する場合には入力ボタン１１ｅを用いて、基地局との無線通信を行うことができると共に、子機２と親子内通信機能を用いて無線通信を行うことができる。また、子機２にはメイン表示部２１ｃが設けられていると共に、当該メイン表示部２１ｃにおける入力ボタン画像２１ｆに対応する部分に触れることによりデータの入力が可能なタッチパネル２１ｊが設けられているので、当該入力ボタン画像２１ｆ及びタッチパネル２１ｊを用いて、基地局との無線通信を行うことができると共に、親機１と親子内通信機能を用いて無線通信を行うことができる。
【００５０】
また、親機１と子機２とが親子内通信機能で無線通信が可能な範囲内にある場合には、外部通信機能が無効となっている一方の通信端末（例えば、親機１）は、当該外部通信機能が有効となっている他方の通信端末（例えば、子機２）を介して、基地局と無線通信ができるという利点がある。
【００５１】
また更に、親機１と子機２とが互いにどの程度離れているかを示す距離マークｄ、ｊが親機１のサブ表示部１１ｄ及び子機２のメイン表示部２１ｃに表示されるようになっているので、各人が親機１及び子機２のいずれか一方を持つことにより、当該各人は相対的な位置関係を把握することができる。また、距離マークｄ、ｊとして示した横棒グラフの長さの変化を観察することにより、相手との距離が狭まりつつあるのか、広がりつつあるのかを判断することができる。従って、例えば、遊園地等において、親が子供を見つける際に役立てることができる。
【００５２】
なお、上記実施の形態においては、親機１及び子機２のぞれぞれにおける外部通信機能を有効にするか無効にするかを、一定の時間間隔ごとに自動的に交互に行うように構成したが、この外部通信機能の切り換えは、親機１及び子機２に設けた手動のスイッチによって行うように構成してもよい。この場合、例えば、帰宅した際に、親機１と子機２とを切り離し、親機１についてはスイッチを切ることによって外部通信機能を無効にした状態で一階に置いておき、子機２についてはスイッチを入れることによって外部通信機能を有効にした状態で二階に持って行くことにより、本人の居る二階において、子機２を用いて基地局との無線通信が可能になる。そして、一階の例えば家族とは、親機１と子機２との親子内通信機能を利用して通信することができる。また、二階から一階に移動する場合には、子機２についてはスイッチを切ることによって外部通信機能を無効にした状態で二階に置いておき、親機１については一階に移動した時点でスイッチを入れることによって外部通信機能を有効にすることにより、本人のいる一階において親機１を用いて基地局との無線通信が可能になるという利点がある。
【００５３】
また、距離マークｄ、ｊを横棒グラフで表示するように構成した例を示したが、この距離マークｄ、ｊとしては、遠近の程度をマークの点滅の間隔によって表示するように構成したものであってもよい。例えば、遠く離れている場合には、点滅の間隔を長くし、接近している場合には、点滅の間隔を短くすることにより、遠近の程度を表示するように構成してもよい。この場合には、例えば点滅の間隔が変化するを見て、親機１と子機２とが近づきつつあるのか否かを知ることができる。
【００５４】
親バッテリ１２ｋを充電回路１２ｊと電圧制御部１２ｍとの間に設けた例を示したが、親バッテリ１２ｋを電圧制御部１２ｍと親電源接続端子１１ｑとの間に設けるように構成してもよい。即ち、親バッテリ１２ｋが充電回路１２ｊと電圧制御部１２ｍとの間にある場合には、親電源接続端子１１ｑ、１１ｒと子電源接続端子２１ｑ、２１ｒとがそれぞれ接続されて、親バッテリ１２ｋと子バッテリ２２ｋとが並列に電気接続された状態において、例えば子バッテリ２２ｋで親バッテリ１２ｋを充電する際に、電圧制御部１２ｍが当該充電の妨げとなるおそれがあるが、親電源１２ｋを電圧制御部１２ｍと親電源接続端子１１ｑとの間に設けることにより、何ら支障なく子バッテリ２２ｋで親バッテリ１２ｋを充電することができる。
【図面の簡単な説明】
【００５５】
【図１】本発明の一実施の形態として示した携帯電話機であって、親機と子機とが結合されている状態を示す正面図である。
【図２】同携帯電話機の側面図である。
【図３】同携帯電話機であって、親機と子機とが分離されている状態を示す正面図である。
【図４】同携帯電話機の内部構成を示すブロック図である。
【符号の説明】
【００５６】
１  親機
２  子機
１１ｄ  サブ表示部
１１ｅ  入力ボタン
１２ｋ  親バッテリ（親電源）
２１ｃ  メイン表示部
２１ｆ  入力ボタン画像
２１ｊ  タッチパネル
２２ｋ  子バッテリ（子電源）
【図１】
2008178007.tif 000003
【図２】
2008178007.tif 000004
【図３】
2008178007.tif 000005
【図４】
2008178007.tif 000006